(57)【要約】  蓄電池パック（１００）は、二次電池（１０１）と、互いに異なる複数種類の機器に着脱自在に接続可能な接続部（１０２）と、二次電池（１０１）からの放電と二次電池（１０１）への充電とを制御する制御部（１０３）と、検知した二次電池（１０１）の状態を二次電池情報として出力する検知部（１０４）と、二次電池情報を記憶する第１の記憶部（１０５）と、二次電池（１０１）の状態の程度に応じて予め定められた複数の条件と複数の使用推奨機器とが予め対応づけられた推奨テーブルを記憶している第２の記憶部（１０６）と、二次電池情報と推奨テーブルとを用いて、複数の機器の中から使用推奨機器を決定する決定部（１０７）と、決定部（１０７）が決定した使用推奨機器を示す情報を使用者に報知する報知部（１０８）とを備える。
2015122127.tif 000002
【特許請求の範囲】
【請求項１】
二次電池と、
互いに異なる複数種類の機器および充電装置に着脱自在に電気的に接続可能な接続部と、
前記接続部を介して前記二次電池から前記機器への放電と、前記接続部を介して前記充電装置から前記二次電池への充電と、を制御する制御部と、
前記二次電池の状態を検知して、検知した結果を二次電池情報として出力する検知部と、
前記検知部により出力された前記二次電池情報を記憶する第１の記憶部と、
前記二次電池の状態に基づいて予め定められた条件と前記条件に適した複数の使用推奨機器とが予め対応づけられた推奨テーブルを記憶している第２の記憶部と、
前記二次電池情報が示す前記二次電池の状態と前記推奨テーブルとを用いて、前記使用推奨機器を決定する決定部と、
前記決定部が決定した前記使用推奨機器を示す情報を使用者に報知する報知部と
を備える蓄電池パック。
【請求項２】
前記第２の記憶部は、前記二次電池の状態に基づいて予め定められた前記条件を複数記憶しており、
前記決定部は、前記推奨テーブルの前記複数の条件のうち、前記二次電池情報が示す前記二次電池の状態が満たしている条件に対応づけられている機器を、前記複数種類の機器から前記使用推奨機器として決定する
請求項１に記載の蓄電池パック。
【請求項３】
前記検知部は、前記二次電池の充電または放電が行われた日時を検知し、検知した日時を前記二次電池情報として出力し、
最後に充電または放電した前記日時からの経過期間が所定値未満であると、
前記決定部は、前記第１の記憶部が記憶している前記二次電池情報と前記推奨テーブルとを用いて、前記使用推奨機器を決定する
請求項１または２に記載の蓄電池パック。
【請求項４】
前記検知部は、前記二次電池の充電または放電が行われた日時を検知し、検知した日時を前記二次電池情報として出力し、
最後に充電または放電した前記日時からの経過期間が所定値以上であると、
前記決定部は、前記制御部が前記充電装置から前記二次電池への充電を新たに実行しているときに前記検知部により検知された前記二次電池情報と、前記推奨テーブルとを用いて、前記使用推奨機器を決定する
請求項１−３のいずれか１項に記載の蓄電池パック。
【請求項５】
最後に充電または放電した前記日時からの経過期間が所定値以上であると、
前記報知部は、前記制御部が前記充電装置から前記二次電池に充電を実行するまでは、前記使用推奨機器を示す情報の報知を停止する
請求項４に記載の蓄電池パック。
【請求項６】
さらに、
前記使用推奨機器を示す情報を表示する表示部を備え、
前記報知部は、前記表示部に前記使用推奨機器を示す情報を表示させる
請求項１−５のいずれか１項に記載の蓄電池パック。
【請求項７】
前記充電装置は表示部を備えており、
前記報知部は、前記接続部を介して前記使用推奨機器を示す情報を前記充電装置に送信し、前記使用推奨機器を示す情報を前記充電装置に表示させる
請求項１−６のいずれか１項に記載の蓄電池パック。
【請求項８】
さらに、
表示部を有する外部の通信端末と通信する通信部を備え、
前記報知部は、前記通信部によって前記使用推奨機器を示す情報を前記外部の通信端末に送信し、前記使用推奨機器を示す情報を前記外部の通信端末に表示させる
請求項１−７のいずれか１項に記載の蓄電池パック。
【請求項９】
前記検知部は、前記二次電池の状態として前記二次電池の対公称容量比ＳＯＣを検知し、検知した対公称容量比ＳＯＣを前記二次電池情報として出力し、
前記決定部は、前記対公称容量比ＳＯＣが所定値以上であると、高出力負荷の機器を前記使用推奨機器として決定し、前記対公称容量比ＳＯＣが所定値未満であると、低出力負荷の機器を前記使用推奨機器として決定する
請求項１−８のいずれか１項に記載の蓄電池パック。
【請求項１０】
前記検知部は、前記二次電池の状態として前記二次電池の充放電サイクル数を検知し、
前記決定部は、前記充放電サイクル数が所定値未満であると、高出力負荷の機器を前記使用推奨機器として決定し、前記充放電サイクル数が所定値以上であると、低出力負荷の機器を前記使用推奨機器として決定する
請求項１−９のいずれか１項に記載の蓄電池パック。
【請求項１１】
前記検知部は、前記二次電池の状態として前記二次電池の内部抵抗値を検知し、
前記決定部は、前記内部抵抗値が所定値未満であると、高出力負荷の機器を前記使用推奨機器として決定し、前記内部抵抗値が所定値以上であると、低出力負荷の機器を前記使用推奨機器として決定する
請求項１−１０のいずれか１項に記載の蓄電池パック。
【請求項１２】
前記検知部は、前記二次電池の状態として前記二次電池の電池電圧差を検知し、
前記決定部は、前記電池電圧差が所定値未満であると、高出力負荷の機器を前記使用推奨機器として決定し、前記電池電圧差が所定値以上であると、低出力負荷の機器を前記使用推奨機器として決定する
請求項１−１１のいずれか１項に記載の蓄電池パック。
【請求項１３】
前記検知部は、前記二次電池の状態として前記二次電池の対公称容量比ＳＯＣを検知し、
前記決定部は、前記対公称容量比ＳＯＣが所定値以上であると、大容量を要求する機器を前記使用推奨機器として決定し、前記対公称容量比ＳＯＣが所定値未満であると、小容量を要求する機器を前記使用推奨機器として決定する
請求項１−１２のいずれか１項に記載の蓄電池パック。
【請求項１４】
さらに、
前記検知部は、前記二次電池の異常状態を検知し、
前記報知部は、前記検知部が前記二次電池の異常状態を検知すると、当該異常状態を示す情報を使用者に報知する
請求項１−１３のいずれか１項に記載の蓄電池パック。
【請求項１５】
さらに、
機器を示す機器情報を受け付ける入力受付部を備え、
前記第２の記憶部は、前記複数種類の機器と前記入力受付部において受け付けられた前記機器情報とを対応付けて記憶しており、
前記決定部は、前記推奨テーブルに対応づけられている前記複数の使用推奨機器のうちで、前記入力受付部において受け付けられた前記機器情報により示される機器の中から前記使用推奨機器を決定する
請求項１−１４のいずれか１項に記載の蓄電池パック。
【請求項１６】
二次電池を含み、かつ、互いに異なる複数種類の機器に使用可能な蓄電池パックを、充電する充電装置であって、
前記蓄電池パックと着脱自在に接続される電池接続部と、
前記電池接続部を介して前記蓄電池パックを充電する充電制御部と、
前記電池接続部を介して前記二次電池の状態を検知して、検知した結果を二次電池情報として出力する電池検知部と、
前記二次電池の状態に基づいて予め定められる条件と前記条件に適した複数の使用推奨機器とが予め対応づけられた推奨テーブルを記憶している記憶部と、
前記二次電池情報が示す前記二次電池の状態と前記推奨テーブルとを用いて、前記使用推奨機器を決定する機器決定部と、
表示部と、
前記機器決定部が決定した前記使用推奨機器を示す情報を前記表示部に表示させる表示制御部と
を備える充電装置。
【発明の詳細な説明】
【技術分野】
【０００１】
本開示は、互いに異なる複数種類の機器に着脱自在に電気的に接続し、接続した機器に電力を供給可能な蓄電池パックおよび当該蓄電池パックを充電するための充電装置に関する。
【背景技術】
【０００２】
従来、蓄電池パックを充電したときに、蓄電池パックを充電した結果に応じて、使用者に蓄電池パックの使用に関する表示を行う充電装置がある。例えば、特許文献１では、複数の蓄電池パックを充電装置で充電した場合であって、充電を完了した蓄電池パックが複数ある場合に、蓄電池パックの使用頻度の平準化を図る目的で、充電を完了した順番に応じて、１つの蓄電池パックのみが使用可能に表示されることが開示されている。
【先行技術文献】
【特許文献】
【０００３】
【特許文献１】特開２０１１−１９３６５６号公報
【発明の概要】
【発明が解決しようとする課題】
【０００４】
ところで、蓄電池パックには、互いに異なる複数種類の機器に接続して使用可能なものがある。このような蓄電池パックの使用に関する表示を行う場合に、特許文献１の技術では、適切に表示を行うことができないという問題がある。【０００５】
上記事情を鑑み、限定的でない例示的なある実施形態は、互いに異なる複数種類の機器に接続して使用可能な蓄電池パックについての使用に関する表示を適切に行うことができる。【０００６】
開示された実施形態の付加的な有益性及び優位性は、明細書及び図面から明らかである。上記有益性及び／または優位性は、それぞれ、種々の実施形態と、明細書及び図面に開示された特徴とによって与えられる。そして、１つ以上の上記有益性及び／または優位性を得るのに、上記種々の実施形態と、明細書及び図面に開示された特徴の全てを必要としない。
【課題を解決するための手段】
【０００７】
本開示の一態様に係る蓄電池パックは、二次電池と、互いに異なる複数種類の機器および充電装置に着脱自在に電気的に接続可能な接続部と、前記接続部を介して前記二次電池から前記機器への放電と、前記接続部を介して前記充電装置から前記二次電池への充電と、を制御する制御部と、前記二次電池の状態を検知して、検知した結果を二次電池情報として出力する検知部と、前記検知部により出力された前記二次電池情報を記憶する第１の記憶部と、前記二次電池の状態に基づいて予め定められた条件と前記条件に適した複数の使用推奨機器とが予め対応づけられた推奨テーブルを記憶している第２の記憶部と、前記二次電池情報が示す前記二次電池の状態と前記推奨テーブルとを用いて、前記使用推奨機器を決定する決定部と、前記決定部が決定した前記使用推奨機器を示す情報を使用者に報知する報知部とを備える。【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本開示の蓄電池パックおよび充電装置は、使用に関する表示を適切に行うことができる。
【図面の簡単な説明】
【００１０】
【図１】図１は、実施の形態１に係る蓄電パックの外観および表示部の詳細を示す図である。
【図２】図２は、実施の形態１に係る蓄電池パックの構成の一例を示すブロック図である。
【図３】図３は、二次電池の構成の一例を示す図である。
【図４】図４は、推奨テーブルの一例を示す図である。
【図５】図５は、第１の記憶部により記憶されるログ情報を示す図である。
【図６】図６は、ログ情報の取得処理の一例を示すフローチャートである。
【図７】図７は、推奨表示処理の一例を示すフローチャートである。
【図８】図８は、実施の形態２に係る蓄電システムの外観を示す図である。
【図９】図９は、実施の形態２に係る蓄電システムの構成の一例を示すブロック図である。
【図１０】図１０は、実施の形態３に係る蓄電システムの構成の一例を示すブロック図である。
【図１１】図１１は、実施の形態３に係る充電装置の充電処理を示すフローチャートである。
【図１２】図１２は、実施の形態１に係る蓄電池パックの構成の他の一例を示すブロック図である。
【図１３】図１３は、実施の形態２に係る蓄電池パックの構成の他の一例を示すブロック図である。
【発明を実施するための形態】
【００１１】
（本開示の基礎となった知見）
本発明者は、「背景技術」の欄において記載した、充電装置に関し、以下の問題が生じることを見出した。
【００１２】
特許文献１の技術では、互いに異なる複数種類の機器に接続して使用可能な蓄電池パックについて、使用者は、蓄電池パックを使用する対象の機器を適切に判断できない。例えば、複数種類の機器には、具体的には、電動アシスト自転車などのような高出力負荷の機器と、照明機器のような低出力負荷の機器とが含まれる。このように、蓄電池パックの使用の対象機器として、高出力負荷の機器と、低出力負荷の機器とが混在している場合に、高出力負荷の機器に対して低出力の蓄電池パックを使用者が選択するおそれがある。使用者がこのような選択を行ってしまった場合、高出力負荷の機器からの出力を得ることができない場合が起こりうる。また、低出力負荷の機器に対して高出力の蓄電池パックを使用者が選択した場合には、高出力負荷の機器に対して本来選択されるべき高出力の蓄電池パックを低出力負荷の機器に対して選択してしまうことになるため、高出力負荷の機器に対して適切な出力の蓄電池パックを選択しにくい状況が起こりうる。
【００１３】
このような問題を解決するために、本開示の第１形態は、二次電池と、互いに異なる複数種類の機器および充電装置に着脱自在に電気的に接続可能な接続部と、前記接続部を介して前記二次電池から前記機器への放電と、前記接続部を介して前記充電装置から前記二次電池への充電と、を制御する制御部と、前記二次電池の状態を検知して、検知した結果を二次電池情報として出力する検知部と、前記検知部により出力された前記二次電池情報を記憶する第１の記憶部と、前記二次電池の状態に基づいて予め定められた条件と前記条件に適した複数の使用推奨機器とが予め対応づけられた推奨テーブルを記憶している第２の記憶部と、前記二次電池情報が示す前記二次電池の状態と前記推奨テーブルとを用いて、前記使用推奨機器を決定する決定部と、前記決定部が決定した前記使用推奨機器を示す情報を使用者に報知する報知部とを備える電池パックを提供する。
【００１４】
これによれば、互いに異なる複数種類の機器に接続して使用可能な蓄電池パックを使用する場合でも、どの機器に蓄電池パックを接続して使用すれば、効果的に当該蓄電池パックを使用できるのかを使用者は一目で判断できる。このため、当該蓄電池パックは、効果的に使用できると推奨された機器で使用されやすくなり、推奨された機器で使用された場合には蓄電池パックの寿命、出力性能または容量の大きさなどに応じた適切な放電を行うことができる。
【００１５】
また、本開示の第２形態は、上記第１形態において、前記第２の記憶部は、前記二次電池の状態に基づいて予め定められた条件を複数記憶しており、前記決定部は、前記推奨テーブルの前記複数の条件のうち、前記二次電池情報が示す前記二次電池の状態が満たしている条件に対応づけられている機器を、前記複数種類の機器から前記使用推奨機器として決定してもよい、蓄電池パックを提供する。
【００１６】
また、本開示の第３形態は、上記第１形態または第２形態において、例えば、前記検知部は、前記二次電池の充電または放電が行われた日時を検知し、検知した日時を前記二次電池情報として出力し、最後に充電または放電した前記日時からの経過期間が所定値未満の場合、前記決定部は、前記第１の記憶部が記憶している前記二次電池情報と前記推奨テーブルとを用いて、前記使用推奨機器を決定してもよい、蓄電池パックを提供する。
【００１７】
最後に充電または放電した日時からの経過期間が所定値未満である場合、二次電池の状態を示す二次電池情報は信頼できる情報である。決定部が当該二次電池情報を用いて使用推奨機器を決定することにより、当該蓄電池パックは正確に使用推奨機器を決定できる。
【００１８】
また、本開示の第４形態は、上記第１形態−第３形態のいずれか一つにおいて、例えば、前記検知部は、前記二次電池の充電または放電が行われた日時を検知し、検知した日時を前記二次電池情報として出力し、最後に充電または放電した前記日時からの経過期間が所定値以上の場合、前記決定部は、前記制御部が前記充電装置から前記二次電池への充電を新たに実行しているときに前記検知部により検知された前記二次電池情報と、前記推奨テーブルとを用いて、前記使用推奨機器を決定してもよい、蓄電池パックを提供する。
【００１９】
最後に充電または放電した日時からの経過期間が所定値以上である場合、二次電池の状態を示す二次電池情報は信頼できない情報である。この場合には、決定部は、充電装置から二次電池への充電が新たに実行されているときに検知部により検知された二次電池情報を用いて、使用推奨機器を決定する。つまり、決定部は、二次電池情報が信頼できない情報である場合には、信頼できる二次電池情報を取得しなおして、取得しなおした二次電池情報を用いて使用推奨機器を決定する。その結果、最後に充電または放電した日時からの経過期間が所定値以上である場合であっても、正確に使用推奨機器を決定できる。
【００２０】
また、本開示の第５形態は、上記第４形態において、例えば、最後に充電または放電した前記日時からの経過期間が所定値以上の場合、前記報知部は、前記制御部が前記充電装置から前記二次電池に充電を実行するまでは、前記使用推奨機器を示す情報の報知を停止してもよい、蓄電池パックを提供する。
【００２１】
このため、信頼性の低い二次電池情報を用いて使用推奨機器を決定することを防ぐことができる。
【００２２】
また、本開示の第６形態は、上記第１形態−第６形態のいずれか一つにおいて、例えば、さらに、前記使用推奨機器を示す情報を表示する表示部を備え、前記報知部は、前記表示部に前記使用推奨機器を示す情報を表示させてもよい、蓄電池パックを提供する。
【００２３】
これによれば、報知部は蓄電池パックの表示部に使用推奨機器を表示するため、使用者は、蓄電池パック以外の機器がなくても蓄電池パック単体で当該蓄電池パックの使用推奨機器を確認することができる。
【００２４】
また、本開示の第７形態は、上記第１形態−第６形態のいずれか一つにおいて、例えば、前記充電装置は表示部を備えており、前記報知部は、前記接続部を介して前記使用推奨機器を示す情報を前記充電装置に送信し、前記使用推奨機器を示す情報を前記充電装置に表示させてもよい、蓄電池パックを提供する。
【００２５】
また、本開示の第８形態は、上記第１形態−第７形態のいずれか一つにおいて、例えば、さらに、表示部を有する外部の通信端末と通信する通信部を備え、前記報知部は、前記通信部によって前記使用推奨機器を示す情報を前記外部の通信端末に送信し、前記使用推奨機器を示す情報を前記外部の通信端末に表示させてもよい、蓄電池パックを提供する。
【００２６】
このため、蓄電池パックに表示部が無い構成であっても、使用者に報知することができる。
【００２７】
また、本開示の第９形態は、上記第１形態−第８形態のいずれか一つにおいて、例えば、前記検知部は、前記二次電池の状態として前記二次電池の対公称容量比ＳＯＣを検知し、検知した対公称容量比ＳＯＣを前記二次電池情報として出力し、前記決定部は、前記対公称容量比ＳＯＣが所定値以上の場合、高出力負荷の機器を使用推奨機器として決定し、前記対公称容量比ＳＯＣが所定値未満の場合、低出力負荷の機器を使用推奨機器として決定してもよい、蓄電池パックを提供する。
【００２８】
また、本開示の第１０形態は、上記第１形態−第９形態のいずれか一つにおいて、例えば、前記検知部は、前記二次電池の状態として前記二次電池の充放電サイクル数を検知し、前記決定部は、前記充放電サイクル数が所定値未満の場合、高出力負荷の機器を使用推奨機器として決定し、前記充放電サイクル数が所定値以上の場合、低出力負荷の機器を使用推奨機器として決定してもよい、蓄電池パックを提供する。
【００２９】
また、本開示の第１１形態は、上記第１形態−第１０形態のいずれか一つにおいて、例えば、前記検知部は、前記二次電池の状態として前記二次電池の内部抵抗値を検知し、前記決定部は、前記内部抵抗値が所定値未満の場合、高出力負荷の機器を使用推奨機器として決定し、前記内部抵抗値が所定値以上の場合、低出力負荷の機器を使用推奨機器として決定してもよい、蓄電池パックを提供する。
【００３０】
また、本開示の第１２形態は、上記第１形態−第１１形態のいずれか一つにおいて、例えば、前記検知部は、前記二次電池の状態として前記二次電池の電池電圧差を検知し、前記決定部は、前記電池電圧差が所定値未満の場合、高出力負荷の機器を使用推奨機器として決定し、前記電池電圧差が所定値以上の場合、低出力負荷の機器を使用推奨機器として決定してもよい、蓄電池パックを提供する。
【００３１】
また、本開示の第１３形態は、上記第１形態−第１２形態のいずれか一つにおいて、例えば、前記検知部は、前記二次電池の状態として前記二次電池の対公称容量比ＳＯＣを検知し、前記決定部は、前記対公称容量比ＳＯＣが所定値以上の場合、大容量を要求する機器を使用推奨機器として決定し、前記対公称容量比ＳＯＣが所定値未満の場合、小容量を要求する機器を使用推奨機器として決定してもよい、蓄電池パックを提供する。
【００３２】
また、本開示の第１４形態は、上記第１形態−第１３形態のいずれか一つにおいて、例えば、さらに、前記検知部は、前記二次電池の異常状態を検知し、前記報知部は、前記検知部が前記二次電池の異常状態を検知した場合、当該異常状態を示す情報を使用者に報知してもよい、蓄電池パックを提供する。
【００３３】
これによれば、使用者は、使用推奨機器を確認できるとともに、蓄電池パックに異常が発生している場合には、蓄電池パックに異常があることを確認できる。
【００３４】
また、本開示の第１５形態は、上記第１形態−第１４形態のいずれか一つにおいて、例えば、さらに、機器を示す機器情報を受け付ける入力受付部を備え、前記第２の記憶部は、前記複数種類の機器と前記入力受付部において受け付けられた前記機器情報とを対応付けて記憶しており、前記決定部は、前記推奨テーブルに対応づけられている複数の使用推奨機器のうちで、前記入力受付部において受け付けられた前記機器情報により示される機器の中から前記使用推奨機器を決定してもよい、蓄電池パックを提供する。
【００３５】
これによれば、入力受付部において受け付けられた機器情報が示す機器に対応する複数の機器の中から、使用推奨機器が決定されるため、報知部は、使用者が所有している機器に対応する使用推奨機器のみを報知することができる。その結果、使用者が所有していない機器が推奨されることがなくなり、使用者は、蓄電池パックを使用すべき機器を容易に判断することができる。
【００３６】
また、本開示の第１６形態は、二次電池を含み、かつ、互いに異なる複数種類の機器に使用可能な蓄電池パックを、充電する充電装置であって、前記蓄電池パックと着脱自在に接続される電池接続部と、前記電池接続部を介して前記蓄電池パックを充電する充電制御部と、前記電池接続部を介して前記二次電池の状態を検知して、検知した結果を二次電池情報として出力する電池検知部と、前記二次電池の状態に基づいて予め定められる条件と前記条件に適した複数の使用推奨機器とが予め対応づけられた推奨テーブルを記憶している記憶部と、前記二次電池情報が示す前記二次電池の状態と前記推奨テーブルとを用いて、前記使用推奨機器を決定する機器決定部と、表示部と、前記機器決定部が決定した前記使用推奨機器を示す情報を前記表示部に表示させる表示制御部と、を備える充電装置を提供する。
【００３７】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００３８】
以下、本開示の一態様に係る蓄電池パックおよび充電装置について、図面を参照しながら具体的に説明する。
【００３９】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４０】
（実施の形態１）
図１は、実施の形態１に係る蓄電池パックの外観および表示部の詳細を示す図である。より具体的には、図１の（ａ）は、蓄電池パック１００の外観を示す斜視図である。図１の（ｂ）は、蓄電池パック１００の表示部１０９の詳細を示す図である。
【００４１】
図１の（ａ）に示すように、蓄電池パック１００は、表示部１０９を備える。図１の（ｂ）に示すように、表示部１０９は、充電の状態を示す表示を行う第１の表示部１０と、当該蓄電池パック１００の適切な使用対象機器（つまり、推奨用途）を示す表示を行う第２の表示部２０とにより構成される。
【００４２】
第１の表示部１０は、具体的にはＬＥＤ（Ｌｉｇｈｔ  Ｅｍｉｔｔｉｎｇ  Ｄｉｏｄｅ）であり、例えば、充電中であることを示す表示（点滅）、蓄電池パックが異常であることを示す表示（速点滅）、満充電状態であることを示す表示（点灯）などを行う。
【００４３】
第２の表示部２０は、第１の推奨表示２１、第２の推奨表示２２、および第３の推奨表示２３からなる。第１の推奨表示２１は、高出力負荷の機器に対して使用することを推奨する表示である。第２の推奨表示２２は、低出力負荷の機器に対して使用することを推奨する表示である。第３の推奨表示２３は、大容量負荷の機器に対して使用することを推奨する表示である。第２の表示部２０は、第１の推奨表示２１、第２の推奨表示２２、および第３の推奨表示２３のいずれかが表示されることにより、当該蓄電池パック１００の使用の対象となる機器を推奨する。なお、図１の（ｂ）は、第１の推奨表示２１が表示されていることを示す。
【００４４】
図２は、実施の形態２に係る蓄電池パックのブロック図である。
【００４５】
図２に示すように、蓄電池パック１００は、二次電池１０１、接続部１０２、制御部１０３、検知部１０４、第１の記憶部１０５、第２の記憶部１０６、決定部１０７、報知部１０８、および表示部１０９から構成される。
【００４６】
二次電池１０１は、複数の単電池（例えば、リチウムイオン電池）が並列および直列に接続されることで構成されている。二次電池１０１の構成については、後述する。
【００４７】
接続部１０２は、互いに異なる複数種類の機器に着脱自在に、電気的に接続可能である。また、接続部１０２は、互いに異なる複数種類の機器に着脱自在に、機械的に接続可能であってもよい。
【００４８】
制御部１０３は、接続部１０２を介して二次電池１０１から、接続部１０２に接続されている機器への放電と、接続部１０２を介して複数種類の機器の一つである充電装置から二次電池への充電とを制御する。
【００４９】
検知部１０４は、二次電池の状態を検知して、検知した結果を二次電池情報として出力する。具体的には、検知部１０４は、二次電池１０１の状態として二次電池１０１の対公称容量比ＳＯＣ（Ｓｔａｔｅ  ｏｆ  Ｃｈａｒｇｅ）を検知してもよい。検知部１０４は、二次電池１０１の状態として二次電池１０１の充放電サイクル数を検知してもよい。検知部１０４は、二次電池１０１の状態として二次電池１０１の内部抵抗値を検知してもよい。また、検知部１０４は、二次電池１０１の状態として二次電池１０１の電池電圧差を検知してもよい。つまり、検知部１０４は、二次電池１０１の状態として、二次電池１０１の対公称容量比ＳＯＣ、充放電サイクル数、内部抵抗値、および電池電圧差の少なくともいずれか一つを検知し、検知した対公称容量比ＳＯＣ、充放電サイクル数、内部抵抗値、および電池電圧差の少なくともいずれかを二次電池情報として出力すればよい。また、検知部１０４は、二次電池１０１の充電または放電が行われた日時を検知し、検知した日時を二次電池情報として出力してもよい。ここで、検知部１０４は、蓄電池パック１００内に搭載されたＣＰＵなどを用いた計時部（図示せず）から日時を示す日時情報を取得することにより日時を検知してもよいし、外部の機器から日時情報を通信により取得することにより日時を検知してもよい。
【００５０】
なお、ここでいう「対公称容量比ＳＯＣ」とは、二次電池の、現在の満充電後に放電可能な容量の、公称容量に対する割合〔％〕である。また、ここでいう「公称容量」とは、工場出荷時における二次電池の満充電後に放電可能な容量である。また、ここでいう「充放電サイクル数」とは、満充電の二次電池を空になるまで放電させたことを１回と数えたときの回数である。また、ここでいう「内部抵抗値」とは、二次電池の内部抵抗の値である。また、ここでいう「電池電圧差」とは、直列接続された複数の電池（直列接続された複数の単電池群（下記参照）も含む）のうちの最大電圧を有する電池（単電池群）と最小電圧を有する電池（単電池群）との間の電圧差である。
【００５１】
図３は、二次電池１０１の構成の一例を示す図である。
【００５２】
二次電池１０１は、図３に示すように、４つの単電池４２が並列に接続された１つの単電池群４１（ブロックとも言う）が複数（例えば７つ）直列に接続されることにより構成されている。つまり、二次電池１０１は、図３の例では、２８個の単電池４２が並列および直列に接続されることにより構成されている。つまり、このように構成される二次電池１０１における電池電圧差とは、直列接続された複数の単電池群４１のうちの最大電圧を有する単電池群と最小電圧を有する単電池群との間の電圧差である。
【００５３】
第１の記憶部１０５は、検知部１０４により出力された二次電池情報を記憶する。第１の記憶部１０５は、例えば、不揮発性のメモリにより実現される。
【００５４】
図４は、第１の記憶部により記憶されるログ情報を示す図である。
【００５５】
図４に示すように、ログ情報は、検知部１０４において検知された、二次電池１０１の充電または放電が行われた日時を示す情報である。なお、ログ情報には、充電または放電が行われた日時の他の二次電池情報である、対公称容量比ＳＯＣ、充放電サイクル数、内部抵抗値、および電池電圧差の少なくともいずれか一つが、検知された日時と関連づけられていてもよい。図４の例では、ログ情報は、日時と、充電または放電の状態と、ＳＯＣと、対公称容量比ＳＯＣとが対応づけられて第１の記憶部１０５に記憶されている。
【００５６】
第２の記憶部１０６は、二次電池の状態に基づいて予め定められた条件と、当該条件に適した複数の使用推奨機器とが予め対応づけられた推奨テーブルを記憶している。第２の記憶部１０６は、二次電池１０１の状態に基づいて予め定められた条件を複数記憶していてもよい。
【００５７】
図５は、推奨テーブルの一例を示す図である。
【００５８】
図５に示すように、推奨テーブルは、二次電池の状態として、対公称容量比ＳＯＣ、充放電サイクル数、内部抵抗値、および電池電圧差のそれぞれの程度に応じて予め定められた複数の条件と、当該複数の条件のそれぞれに適した用途の複数の機器とが、予め対応づけられている。
【００５９】
具体的には、対公称容量比ＳＯＣについて、Ｘ〔％〕以上の二次電池は複数の機器のうちの高出力負荷の機器と対応づけられており、Ｘ〔％〕未満の二次電池は複数の機器のうちの低出力負荷の機器と対応づけられている。さらに、対公称容量比ＳＯＣでは、α〔％〕以上の二次電池を複数の機器のうちの大容量負荷の機器と対応づけられていてもよい。また、充放電サイクル数について、Ｙ〔サイクル〕未満の二次電池は高出力負荷の使用推奨機器と対応づけられており、Ｙ〔サイクル〕以上の二次電池は低出力負荷の使用推奨機器と対応づけられている。また、内部抵抗値について、Ｚ〔Ω〕未満の二次電池は高出力負荷の使用推奨機器と対応づけられており、Ｚ〔Ω〕以上の二次電池は低出力負荷の使用推奨機器と対応づけられている。また、電池電圧差について、Ｗ〔Ｖ〕未満の二次電池は高出力負荷の使用推奨機器と対応づけられており、Ｗ〔Ｖ〕以上の二次電池は低出力負荷の使用推奨機器と対応づけられている。なお、ここでいう「使用推奨機器」とは、互いに異なる複数種類の機器のうちで、二次電池１０１の状態に適した用途の機器である。
【００６０】
決定部１０７は、二次電池情報が示す二次電池１０１の状態と推奨テーブルとを用いて、複数の機器から使用推奨機器を決定する。決定部１０７は、最後に充電または放電した日時からの経過期間が所定値未満の場合、第１の記憶部１０５が記憶している二次電池情報と推奨テーブルとを用いて、使用推奨機器を決定してもよい。また、決定部１０７は、最後に充電または放電した日時からの経過期間が所定値以上の場合、制御部１０３が接続部１０２に接続されている充電装置（図示せず）から二次電池１０１への充電を新たに実行するまで待機し、当該充電を実行しているときに検知部１０４により検知された二次電池情報と推奨テーブルとを用いて、使用推奨機器を決定してもよい。決定部１０７は、検知部１０４により検知された、二次電池１０１の充電または放電が行われた日時と、現在の時刻とを比較することにより、二次電池１０１が最後に充電または放電した日時からの経過時間が所定値以上であるか否かを判定してもよい。つまり、上述において、最後に充電または放電した日時からの経過期間が所定値未満の場合とは、決定部１０７により当該経過期間が所定値未満と判定された場合である。また、最後に充電または放電した日時からの経過期間が所定値以上の場合とは、決定部１０７により当該経過期間が所定値以上と判定された場合である。
【００６１】
決定部１０７は、具体的には、二次電池情報と推奨テーブルとを用いて、次のように使用推奨機器を決定する。決定部１０７は、対公称容量比ＳＯＣが所定値（Ｘ〔％〕）以上の場合、高出力負荷の機器を使用推奨機器として決定し、対公称容量比ＳＯＣが所定値（Ｘ〔％〕）未満の場合、低出力負荷の機器を使用推奨機器として決定する。また、決定部１０７は、対公称容量比ＳＯＣが所定値（α〔％〕）以上の場合、大容量を要求する機器（大容量負荷の機器）を使用推奨機器として決定し、対公称容量比ＳＯＣが所定値（α〔％〕）未満の場合、小容量を要求する機器（小容量負荷の機器）を使用推奨機器として決定する。また、決定部１０７は、充放電サイクル数が所定値（Ｙ〔サイクル〕）未満の場合、高出力負荷の機器を使用推奨機器として決定し、充放電サイクル数が所定値（Ｙ〔サイクル〕）以上の場合、低出力負荷の機器を使用推奨機器として決定する。また、決定部１０７は、内部抵抗値が所定値（Ｚ〔Ω〕）未満の場合、高出力負荷の機器を使用推奨機器として決定し、内部抵抗値が所定値（Ｚ〔Ω〕）以上の場合、低出力負荷の機器を使用推奨機器として決定する。また、決定部１０７は、電池電圧差が所定値（Ｗ〔Ｖ〕）未満の場合、高出力負荷の機器を使用推奨機器として決定し、電池電圧差が所定値（Ｗ〔Ｖ〕）以上の場合、低出力負荷の機器を使用推奨機器として決定する。つまり、決定部１０７は、推奨テーブルの複数の条件のうち、二次電池情報が示す二次電池１０１の状態が満たしている条件に対応づけられている機器を、複数の機器から使用推奨機器として決定する。
【００６２】
なお、決定部１０７は、検知部１０４により検知された二次電池の状態として対公称容量比ＳＯＣ、充放電サイクル数、内部抵抗値、および電池電圧差を用いて、使用推奨機器を決定しているが、対公称容量比ＳＯＣ、充放電サイクル数、内部抵抗値、および電池電圧差のいずれか１つを用いて使用推奨機器を決定していればよい。このため、決定部１０７は、対公称容量比ＳＯＣ、充放電サイクル数、内部抵抗値、および電池電圧差のうちの１つに基づいて使用推奨機器を決定してもよいし、これらの組み合わせに基づいて使用推奨機器を決定してもよい。具体的には、決定部１０７は、対公称容量比ＳＯＣが所定値（Ｘ〔％〕）以上、且つ、充放電サイクル数が所定値（Ｙ〔サイクル〕）未満、且つ、内部抵抗値が所定値（Ｚ〔Ω〕）以上の場合、高出力負荷の機器を使用推奨機器とする指標が多いので、高出力負荷の機器を使用推奨機器として決定してもよい。
【００６３】
報知部１０８は、決定部１０７が決定した使用推奨機器を示す情報を使用者に報知する。報知部１０８は、最後に充電または放電した日時からの経過期間が所定値以上の場合、制御部が充電装置から二次電池に充電を実行するまでは、使用推奨機器を示す情報の報知を停止してもよい。報知部１０８は、表示部１０９に使用推奨機器を示す情報を表示させる。これにより、報知部１０８は、使用推奨機器を示す情報を使用者に報知してもよい。
【００６４】
表示部１０９は、使用推奨機器を示す情報を表示する。表示部１０９は、例えば、液晶ディスプレイ、または有機ＥＬディスプレイであってもよいし、ＬＥＤ等の複数のランプを選択的に点灯させることで予め描かれている推奨表示を示す絵、または文字が選択されたように表示させる形態のものであってもよい。具体的には、図１の（ｂ）で説明したとおりであり、第１の推奨表示２１、第２の推奨表示２２、および第３の推奨表示２３のいずれかを表示することにより、使用者に使用推奨機器を示す情報を表示する。
【００６５】
次に、蓄電池パック１００において行われる動作について説明する。蓄電池パック１００において行われる動作には、ログ情報の取得処理と、推奨表示処理との２つの処理がある。
【００６６】
図６は、ログ情報の取得処理の一例を示すフローチャートである。
【００６７】
ログ情報の取得処理では、まず、制御部１０３が、二次電池１０１が充電中または放電中であるかを判定する（Ｓ１１）。つまり、ログ情報の取得処理は、充電中または放電中に行われる。
【００６８】
二次電池１０１が充電中または放電中であると制御部１０３により判定された場合（Ｓ１１：Ｙｅｓ）、検知部１０４が二次電池１０１の二次電池情報を検知する（Ｓ１２）。二次電池１０１が充電中または放電中でないと制御部１０３により判定された場合（Ｓ１１：Ｎｏ）、ステップＳ１１の処理に戻る。つまり、検知部１０４は、二次電池１０１が充電中または放電中となるまで、二次電池１０１の二次電池情報の検知を行うことを待機する。ここで、検知部１０４は、より具体的には、二次電池１０１の二次電池情報として、二次電池１０１の充電または放電が行われた日時、対公称容量比ＳＯＣ、充放電サイクル数、内部抵抗値、および電池電圧差を検知し、第１の記憶部１０５にこれらの二次電池情報を出力する。
【００６９】
次に、第１の記憶部１０５は、検知部１０４により出力された二次電池情報を記憶する（Ｓ１３）。
【００７０】
そして、制御部１０３は、二次電池１０１の充電または放電が終了したか否かを判定する（Ｓ１４）。制御部１０３が二次電池１０１の充電または放電が終了したと判定した場合（Ｓ１４：Ｙｅｓ）、ログ情報の取得処理を終了する。
【００７１】
制御部１０３が二次電池１０１の充電または放電が終了していないと判定した場合（Ｓ１４：Ｎｏ）、ステップＳ１２およびステップＳ１３の処理を繰り返す。なお、この場合、所定の期間を経過した後にステップＳ１２およびステップＳ１３を繰り返してもよい。
【００７２】
なお、上記で説明したログ情報の取得処理では、充電中または放電中に行われる。これは、充電または放電の期間において、二次電池１０１の状態が変化しやすく、それ以外の期間の場合には二次電池１０１の状態は変化しにくく、ログ情報を取得する必要があまりないためである。しかしながら、それ以外の期間であっても、二次電池１０１は自己放電するため、二次電池１０１の状態は変化しうる。これに対応するために、それ以外の期間であっても、予め定められた期間ごとに、検知部１０４が二次電池１０１の状態を取得するようにしてもよい。
【００７３】
図７は、推奨表示処理の一例を示すフローチャートである。
【００７４】
推奨表示処理は、蓄電池パック１００の予め定められたタイミングとなったときから行われる。つまり、推奨表示処理では、まず、制御部１０３が、予め定められたタイミングとなったか否かを判定する（Ｓ２１）。なお、「予め定められたタイミング」とは、充電が完了したタイミングであってもよいし、使用者により予め定められた時刻であってもよい。また、後述するが、蓄電池パックに入力受付部が設けられている場合には、蓄電池パックの例えば物理ボタンがユーザにより押されたタイミングとしてもよい。
【００７５】
制御部１０３が（Ｓ２１：Ｙｅｓ）、決定部１０７は、最後に二次電池１０１を充電または放電した日時から経過期間が所定値以上であるか否かを判定する（Ｓ２２）。制御部１０３が予め定められたタイミングでないと判定した場合（Ｓ２１：Ｎｏ）、ステップＳ２１の判定を繰り返す。つまり、決定部１０７は、二次電池１０１の充電が完了するまで、ステップＳ２２の判定を行うことを待機する。
【００７６】
決定部１０７は、最後に充電または放電した日時からの経過期間が所定値未満であると判定した場合（Ｓ２２：Ｎｏ）、第１の記憶部１０５が記憶している二次電池情報で推奨テーブルを照合する（Ｓ２３）。
【００７７】
一方で、決定部１０７が最後に充電または放電した日時からの経過期間が所定値以上であると判定した場合（Ｓ２２：Ｙｅｓ）、制御部１０３は、二次電池１０１が満充電されたか否かを判定する（Ｓ２４）。そして、二次電池１０１が満充電されたことを制御部１０３が判定した場合に、決定部１０７は、満充電されたときの充電が実行されているときに検知部１０４により検知された二次電池情報で推奨テーブルを照合する（Ｓ２５）。つまり、決定部１０７は、最後に充電または放電した日時からの経過期間が所定値以上であると判定した場合、満充電されるまで、二次電池情報を用いた推奨テーブルの照合を行うことを待機する。
【００７８】
そして、決定部１０７は、ステップＳ２３において照合された結果、または、ステップＳ２５において照合された結果を、使用推奨機器として決定する（Ｓ２６）。
【００７９】
次に、報知部１０８は、決定部１０７が決定した使用推奨機器を示す情報を、表示部１０９に表示させることで、使用者に報知して（Ｓ２７）、推奨表示処理を終了する。
【００８０】
本実施の形態１に係る蓄電池パック１００によれば、互いに異なる複数種類の機器に接続して使用可能な蓄電池パック１００を使用する場合でも、どの機器に蓄電池パック１００を接続して使用すれば、効果的に当該蓄電池パック１００を使用できるのかを使用者は一目で判断できる。このため、当該蓄電池パック１００は、効果的に使用できると推奨された機器で使用されやすくなり、推奨された機器で使用された場合には寿命、または能力に応じた適切な放電を行うことができる。
【００８１】
また、本実施の形態１に係る蓄電池パック１００によれば、最後に充電または放電した日時からの経過期間が所定値未満である場合、二次電池１０１の状態を示す二次電池情報は信頼できる情報であることを利用して、決定部１０７が当該二次電池情報を用いて使用推奨機器を決定している。このため、決定部１０７は正確に使用推奨機器を決定でき、報知部１０８は正確に決定された使用推奨機器を報知できる。
【００８２】
また、最後に充電または放電した日時からの経過期間が所定値以上である場合、二次電池１０１の状態を示す二次電池情報は信頼できない情報である。このため、この場合には、決定部１０７は制御部１０３が充電装置から二次電池１０１への充電が新たに実行されているときに検知部１０４により検知された二次電池情報を用いて、使用推奨機器を決定している。つまり、決定部１０７は、二次電池情報が信頼できない情報である場合には、信頼できる二次電池情報を取得し直して、取得し直した二次電池情報を用いて使用推奨機器を決定している。このため、最後に充電または放電した日時からの経過期間が所定値以上である場合であっても、決定部１０７は正確に使用推奨機器を決定できる。
【００８３】
また、この場合、報知部１０８は、制御部１０３が充電装置から二次電池１０１に充電を実行するまでは、使用推奨機器を示す情報の報知を停止する。このため、決定部１０７は、信頼性の低い二次電池情報を用いて使用推奨機器を決定することを防ぐことができる。
【００８４】
また、本実施の形態１に係る蓄電池パック１００では、使用推奨機器を示す情報を蓄電池パック１００の表示部１０９に表示するため、使用者は、蓄電池パック以外の機器がなくても蓄電池パック単体で当該蓄電池パックの使用推奨機器を確認することができる。
【００８５】
なお、上記実施の形態１に係る蓄電池パック１００では、互いに異なる複数種類の機器として、機器の出力負荷の程度に応じて、高出力負荷の機器と、低出力負荷の機器との２つに分類しているが、機器の出力負荷の程度に応じて２つに分類するだけでなく、３つ以上に分類してもよい。また、機器の容量負荷の程度に応じて、大容量負荷の機器と、小容量負荷の機器との２つに分類しているが、機器の容量負荷の程度に応じて２つに分類するだけでなく、３つ以上に分類してもよい。このように分類することで、使用者は、蓄電池パック１００が放電するのに適した機器をより精度よく容易に判断できる。
【００８６】
なお、上記実施の形態１に係る蓄電池パック１００では、さらに、検知部１０４が二次電池１０１の異常状態を検知してもよい。また、報知部１０８は、検知部１０４が二次電池１０１の異常状態を検知した場合、当該異常状態を示す情報を使用者に報知してもよい。この場合、検知部１０４による二次電池１０１の異常状態の検知は、図７で説明した推奨処理のフローチャートにおいて、例えば、ステップＳ２２の判定後に行われることが考えられる。例えば、ステップＳ２２でＮｏと判定された後に行われる場合であって、検知部１０４が二次電池１０１の異常状態を検知した場合に、報知部１０８が二次電池１０１に異常がある旨を示す表示を表示部１０９に行わせて、推奨処理を終了するようにしてもよい。また、ステップＳ２２でＹｅｓと判定された後に行われる場合には、ステップＳ２４で判定される満充電が行われる前に検知部１０４が二次電池１０１の異常状態を検知するようにしてもよい。この場合も二次電池１０１の異常状態を検知した場合に、報知部１０８が二次電池１０１に異常がある旨を示す表示を表示部１０９に行わせて、推奨処理を終了するようにしてもよい。
【００８７】
なお、検知部１０４により行われる二次電池１０１の異常状態の検知は、充放電サイクル数、内部抵抗値、および電池電圧差の少なくともいずれか一つを検知し、検知した充放電サイクル数、内部抵抗値、および電池電圧差の少なくともいずれか一つが所定の範囲から外れている場合に二次電池１０１が異常状態であると判定する。また、蓄電池パック１００の第１の記憶部１０５が充放電総量、使用温度履歴、保存温度履歴の少なくともいずれか一つを記憶しており、検知部１０４は、蓄電池パック１００の充放電総量、使用温度履歴、保存温度履歴の少なくともいずれか一つを参照し、当該値が所定の範囲から外れている場合に二次電池１０１が異常状態であると判定してもよい。
【００８８】
（実施の形態２）
実施の形態１に係る蓄電池パック１００では、報知部１０８は、決定部１０７により決定された使用推奨機器を蓄電池パック１００が備える表示部１０９に表示させたが、蓄電池パック１００以外の機器が備える表示部に表示させる形態であってもよい。
【００８９】
図８は、実施の形態２に係る蓄電池パックを含む蓄電システムの外観を示す図である。図９は、実施の形態２に係る蓄電システムの構成の一例を示すブロック図である。
【００９０】
図８および図９に示すように、蓄電システム１は、複数の蓄電池パック１００ａ、１００ｂおよび充電装置２００を備える。
【００９１】
蓄電池パック１００ａは、実施の形態１に係る蓄電池パック１００の構成に、さらに、通信部１１０を備える。そして、蓄電池パック１００ｂは、実施の形態１に係る蓄電池パック１００の構成に、さらに、通信部１１０を備え、表示部１０９が無い構成である。蓄電池パック１００ａ、１００ｂのその他の構成は、実施の形態１に係る蓄電池パック１００と同様であるため説明を省略する。
【００９２】
報知部１０８は、決定部１０７により決定された使用推奨機器を示す情報を通信部１１０に出力する。通信部１１０は、報知部１０８により出力された使用推奨機器を示す情報を、接続部１０２を介して充電装置２００に送信する。つまり、報知部１０８は、接続部１０２を介して使用推奨機器を示す情報を充電装置２００に送信し、使用推奨機器を示す情報を充電装置２００に表示させる。これにより、報知部１０８は、使用推奨機器を示す情報を使用者に報知する。また、接続部１０２は、二次電池１０１と接続部１０２に接続される機器との間の電力の入出力だけでなく、通信部１１０からの通信データの入出力が可能な構成となっている。
【００９３】
充電装置２００は、充電制御部２０１、電源部２０２、通信部２０３、表示制御部２０４、表示部２０５、および電池接続部２０６から構成される。
【００９４】
充電制御部２０１は、電源部２０２により供給された直流電力を、電池接続部２０６を介して蓄電池パック１００ａ、１００ｂに供給することで、蓄電池パック１００ａ、１００ｂを充電する。具体的には、充電制御部２０１は、蓄電池パック１００ａ、１００ｂが満充電になった場合に充電を終了する。
【００９５】
電源部２０２は、商用電源であるＡＣ電源３００から取得した交流電力を直流電力に変換し、さらに、蓄電池パック１００ａ、１００ｂに適した電圧の直流電力に変換し、変換した電力を充電制御部２０１に供給している。
【００９６】
通信部２０３は、蓄電池パック１００ａ、１００ｂの通信部１１０から送信された情報を受信する。具体的には、通信部２０３は、蓄電池パック１００ａ、１００ｂの通信部１１０から送信された使用推奨機器を示す情報を受信し、当該情報を充電装置２００に送信する。
【００９７】
表示制御部２０４は、通信部２０３が受信した使用推奨機器を示す情報を表示部２０５に表示させる。
【００９８】
表示部２０５は、使用推奨機器を示す情報を表示する。なお、表示部２０５により、表示される表示内容の詳細は、図１の（ｂ）で説明した表示部１０９と同様であるので、説明は省略する。
【００９９】
電池接続部２０６は、蓄電池パック１００ａ、１００ｂの接続部１０２に、着脱自在、かつ、電気的に接続可能である。電池接続部２０６は、蓄電池パック１００ａ、１００ｂと充電制御部２０１との間の電力の入出力だけでなく、通信部１１０からの通信データの入出力が可能な構成となっている。
【０１００】
本実施の形態２に係る蓄電池パック１００ａ、１００ｂでは、報知部１０８が通信部１１０に決定部１０７により決定された使用推奨機器を示す情報を充電装置２００に送信することで、充電装置２００の表示部２０５に使用推奨機器を表示させる。このように、報知部１０８によって報知される対象は蓄電池パック自体でなくてもよく、充電装置２００に備えられる表示部２０５であってもよい。このため、蓄電池パック１００ｂのように単体で表示部１０９が無い構成のものであっても、使用者に蓄電池パックの使用推奨機器を報知することができる。
【０１０１】
また、上記実施の形態２に係る蓄電池パック１００ａ、１００ｂでは、報知部１０８は、通信部１１０を介して充電装置２００に使用推奨機器を示す情報を送信し、充電装置２００に使用推奨機器を示す情報を表示させているが、報知する対象の機器は充電装置２００に限らない。例えば、報知部１０８は、通信部１１０を介してスマートフォンなどの表示部を有する外部の通信端末に使用推奨機器を示す情報を送信し、使用推奨機器を示す情報を外部の通信端末に表示させてもよい。これにより、報知部１０８は、使用者推奨機器を示す情報を使用者に報知してもよい。なお、この場合、通信部１１０は、外部の通信端末と通信することができる。具体的には、通信部１１０は、有線で外部の通信端末に接続される通信インターフェースであってもよいし、無線ＬＡＮ、またはＢｌｕｅｔｏｏｔｈ（登録商標）などの無線通信が可能な通信モジュールであってもよい。
【０１０２】
（実施の形態３）
実施の形態１および実施の形態２に係る蓄電池パック１００、１００ａ、１００ｂでは、二次電池１０１の状態を蓄電池パック１００、１００ａ、１００ｂ内部に備えられる検知部１０４により検知しているが、充電装置が蓄電池パックの二次電池の状態を検知する構成としてもよい。
【０１０３】
図１０は、実施の形態３に係る蓄電システムの構成の一例を示すブロック図である。
【０１０４】
図１０に示すように、実施の形態３に係る蓄電システム１ａは、蓄電池パック１００ｃおよび充電装置２００ａを備える。
【０１０５】
蓄電池パック１００ｃは、二次電池１０１および接続部１０２のみにより構成されることが、実施の形態１および実施の形態２に係る蓄電池パック１００、１００ａ、１００ｂの構成とは異なる。二次電池１０１および接続部１０２の構成は、実施の形態１に係る蓄電池パック１００と同様であるため、説明を省略する。
【０１０６】
充電装置２００ａは、充電制御部２０１、電源部２０２、表示制御部２０４、表示部２０５、電池接続部２０６、電池検知部２０７、記憶部２０８、および機器決定部２０９から構成される。
【０１０７】
電池接続部２０６は、電池検知部２０７と接続されていることが実施の形態２の電池接続部２０６と異なる。電池接続部２０６は、蓄電池パック１００ｃの接続部１０２と接続される。電池接続部２０６は、具体的には、蓄電池パック１００ｃを充電するための電力を蓄電池パック１００ｃの接続部１０２に供給したり、蓄電池パック１００ｃの二次電池１０１の状態を電池検知部２０７で検知させたりするために、電気的に蓄電池パック１００ｃの接続部１０２と接続される。
【０１０８】
電池検知部２０７は、蓄電池パック１００ｃの二次電池１０１の状態を検知して、検知した結果を二次電池情報として出力する。記憶部２０８は、二次電池１０１の状態に基づいて予め定められる条件と当該条件に適した複数の使用推奨機器とが予め対応づけられた推奨テーブルを記憶している。機器決定部２０９は、二次電池情報が示す二次電池の状態と推奨テーブルとを用いて、使用推奨機器を決定する。表示制御部２０４は、機器決定部２０９が決定した使用推奨機器を示す情報を表示部２０５に表示させる。表示部２０５は、使用推奨機器を示す情報を表示する。
【０１０９】
なお、電池検知部２０７、記憶部２０８、機器決定部２０９、および表示制御部２０４の機能は、それぞれ、実施の形態１および実施の形態２の蓄電池パック１００、１００ａ、１００ｂの検知部１０４、第２の記憶部１０６、決定部１０７、報知部１０８の機能と同様であるため、詳細な説明を省略する。
【０１１０】
また、充電制御部２０１、電源部２０２、および表示部２０５の構成は、実施の形態２で説明した充電装置２００の各構成と同様であるため、詳細な説明を省略する。
【０１１１】
図１１は、実施の形態３に係る充電装置の充電処理を示すフローチャートである。
【０１１２】
まず、充電装置２００ａでは、蓄電池パック１００ｃが電池接続部２０６に接続されているか否かを、電池検知部２０７が判定する（Ｓ３１）。電池検知部２０７は、蓄電池パック１００ｃが電池接続部２０６に接続されていることを判定した場合（Ｓ３１：Ｙｅｓ）、蓄電池パック１００ｃの二次電池１０１が異常状態であるか否かを判定する（Ｓ３２）。電池検知部２０７は、蓄電池パック１００ｃが電池接続部に接続されていないと判定した場合（Ｓ３１：Ｎｏ）、ステップＳ３１の処理に戻る。つまり、電池検知部２０７は、蓄電池パック１００ｃが電池接続部２０６に接続されるまで、二次電池１０１の異常状態の検出処理を行うことを待機する。なお、電池検知部２０７により行われる蓄電池パック１００ｃの二次電池１０１の異常状態の検知は、実施の形態１の検知部１０４により行われる異常状態の検知と同様である。
【０１１３】
蓄電池パック１００ｃの二次電池１０１が異常状態であることを電池検知部２０７が判定した場合（Ｓ３２：Ｙｅｓ）、表示制御部２０４は、蓄電池パック１００ｃの二次電池１０１が異常状態であることを示す情報を表示部２０５に表示させて（Ｓ３３）、充電処理を終了する。
【０１１４】
蓄電池パック１００ｃの二次電池１０１が異常状態でないことを電池検知部２０７が判定した場合（Ｓ３２：Ｎｏ）、表示制御部２０４は、蓄電池パック１００ｃの二次電池１０１が充電中であることを示す情報を表示部２０５に表示させる（Ｓ３４）。
【０１１５】
そして、充電制御部２０１は、蓄電池パック１００ｃの二次電池１０１を充電する（Ｓ３５）。
【０１１６】
次に、電池検知部２０７は、蓄電池パック１００ｃの二次電池１０１が満充電状態であるか否かを判定する（Ｓ３６）。電池検知部２０７が蓄電池パック１００ｃの二次電池１０１が満充電状態であることを判定した場合（Ｓ３６：Ｙｅｓ）、表示制御部２０４は、蓄電池パック１００ｃの二次電池１０１が満充電状態であることを示す情報を表示部２０５に表示させる（Ｓ３７）。電池検知部２０７は、蓄電池パック１００ｃの二次電池１０１が満充電状態でないことを判定した場合（Ｓ３６：Ｎｏ）、ステップＳ３６の処理を繰り返す。つまり、表示制御部２０４は、蓄電池パック１００ｃの二次電池１０１が満充電状態であると電池検知部２０７に判定されるまで、満充電状態を示す情報を表示部２０５に表示させることを待機する。
【０１１７】
次に、機器決定部２０９は、満充電されたときの充電が実行されているときに電池検知部２０７により検知された二次電池情報で推奨テーブルを照合し（Ｓ３８）、ステップＳ３８において照合された結果を、使用推奨機器として決定する（Ｓ３９）。
【０１１８】
そして、表示制御部２０４は、機器決定部２０９が決定した使用推奨機器を示す情報を、表示部２０５に表示させる（Ｓ４０）ことで、使用者に報知して、充電処理を終了する。
【０１１９】
本実施の形態３に係る蓄電システム１ａでは、充電装置２００ａが、電池接続部２０６に接続されている蓄電池パック１００ｃの二次電池１０１の状態を検知して、検知した結果を用いて使用推奨機器を決定し、決定した使用推奨機器を充電装置２００ａの表示部２０５に表示させることで使用者に、当該蓄電池パック１００ｃの使用推奨機器を報知している。このため、蓄電池パック１００ｃが、実施の形態１および実施の形態２で説明した検知部１０４、第１の記憶部１０５、第２の記憶部１０６、決定部１０７、および報知部１０８を有していない構成であっても、充電装置２００ａの構成により蓄電池パック１００ｃの使用推奨機器を決定して、使用者に報知することができる。
【０１２０】
なお、上記実施の形態３では、蓄電池パック１００ｃは、二次電池１０１および接続部１０２のみにより構成されるが、これは、実施の形態３を実現するための蓄電池パック１００ｃの最小構成を示している。このため、二次電池１０１および接続部１０２を少なくとも備えていれば、他の構成の蓄電池パックであっても実施の形態３の蓄電システム１ａと同様の効果を奏することができる。つまり、蓄電池パック１００ｃの代わりに、実施の形態１および実施の形態２で説明した蓄電池パック１００、１００ａ、１００ｂを用いてもよい。
【０１２１】
（他の実施の形態）
上記実施の形態１に係る蓄電池パック１００は、使用者による入力を受け付ける入力受付部を備えていない構成であるが、図１２に示すように、さらに、入力受付部１１１を備えた蓄電池パック１００ｄを採用してもよい。蓄電池パック１００ｄは、図２の蓄電池パック１００にさらに、入力受付部１１１を設けた構成である。また、蓄電池パック１００ｄは、第２の記憶部１０６および決定部１０７が入力受付部１１１により受け付けられた入力に基づいて行う処理が蓄電池パック１００の構成と異なる。蓄電池パック１００ｄのその他の構成は、蓄電池パック１００と同様であるため説明を省略する。
【０１２２】
入力受付部１１１は、機器を示す機器情報を受け付ける。つまり、入力受付部１１１は、蓄電池パック１００ｄの接続部１０２が接続され、二次電池１０１の放電の対象となる機器を示す情報である機器情報を受け付ける。第２の記憶部１０６は、複数種類の機器と入力受付部１１１において受け付けられた機器情報とを対応づけて記憶する。決定部１０７は、推奨テーブルに対応づけられている複数の使用推奨機器のうちで、入力受付部１１１において受け付けられた機器情報により示される機器の中から使用推奨機器を決定する。
【０１２３】
蓄電池パック１００ｄによれば、入力受付部１１１において受け付けられた機器情報が示す機器に対応する複数の機器の中から、使用推奨機器が決定されるため、表示部１０９には、使用者が所有している機器に対応する使用推奨機器のみが表示されることになる。これにより、使用者が所有していない機器が推奨されることがなくなるため、使用者は、蓄電池パック１００ｄを使用すべき機器を容易に判断することができる。
【０１２４】
また、図１２で示す蓄電池パック１００ｄの入力受付部１１１は、機器情報を受け付ける以外の用途で使用されてもよい。例えば、入力受付部１１１により受け付けられた入力が、実施の形態１で説明した推奨表示処理の開始を示す場合に、推奨表示処理を開始させるようにしてもよい。上記の実施の形態１で説明した推奨表示処理では、制御部１０３が二次電池１０１の充電が完了したと判定した場合に、開始されるとしたが、即ち、推奨表示処理の開始の判定（図７のステップＳ２１）は、充電が完了したことを判定することの代わりに、使用者により入力受付部１１１に蓄電池パック１００ｄの推奨表示処理を開始させる入力（上述参照）が行われたことを、推奨表示処理の開始の判定に用いてもよい。
【０１２５】
また、上記実施の形態２に係る蓄電池パック１００ａは、蓄電池パック１００と同様に、入力受付部を備えていない構成であるが、図１３に示すように、さらに、入力受付部１１１を備えた蓄電池パック１００ｅを採用してもよい。なお、この場合の入力受付部１１１は、図１２に示す蓄電池パック１００ｄに設けられる入力受付部１１１と同様の構成でもよいし、異なる構成であってもよい。異なる構成の入力受付部１１１とは、具体的には、通信部１１０を介して入力に関する情報を外部の機器から受け付ける機能を有していてもよい。例えば、外部にキーボード、またはタッチパネルなどの入力装置が接続されることで、当該入力装置からの入力を受け付ける構成であってもよい。
【０１２６】
また、上記実施の形態１および実施の形態２では、特に言及していないが、決定部１０７および機器決定部２０９は、例えば、第１の記憶部１０５、２０８に記憶されている二次電池１０１の状態の対公称容量比ＳＯＣがＸ％以上かつα％以上を満たしていれば、高出力負荷および大容量負荷の両方の使用推奨機器を決定してもよい。
【０１２７】
また、上記実施の形態１および実施の形態２に係る蓄電池パック１００、１００ａ、１００ｂ、１００ｄ、１００ｅでは第１の記憶部１０５および第２の記憶部１０６は別々の構成であるが、１つの記憶部であってもよい。
【０１２８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２９】
以上、本開示の一つまたは複数の態様に係る蓄電池パックおよび充電装置について、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、本開示の一つまたは複数の態様の範囲内に含まれてもよい。
【産業上の利用可能性】
【０１３０】
本開示は、蓄電池パックの使用に関する表示を適切に行うことができる蓄電池パックおよび充電装置として有用である。
【符号の説明】
【０１３１】
１，１ａ  蓄電システム
１０  第１の表示部
２０  第２の表示部
２１  第１の推奨表示
２２  第２の推奨表示
２３  第３の推奨表示
４１  単電池群
４２  単電池
１００，１００ａ，１００ｂ，１００ｃ，１００ｄ，１００ｅ  蓄電池パック
１０１  二次電池
１０２  接続部
１０３  制御部
１０４  検知部
１０５  第１の記憶部
１０６  第２の記憶部
１０７  決定部
１０８  報知部
１０９  表示部
１１０  通信部
１１１  入力受付部
２００，２００ａ  充電装置
２０１  充電制御部
２０２  電源部
２０３  通信部
２０４  表示制御部
２０５  表示部
２０６  電池接続部
２０７  電池検知部
２０８  記憶部
２０９  機器決定部
３００  ＡＣ電源
【図１】
2015122127.tif 000003
【図２】
2015122127.tif 000004
【図３】
2015122127.tif 000005
【図４】
2015122127.tif 000006
【図５】
2015122127.tif 000007
【図６】
2015122127.tif 000008
【図７】
2015122127.tif 000009
【図８】
2015122127.tif 000010
【図９】
2015122127.tif 000011
【図１０】
2015122127.tif 000012
【図１１】
2015122127.tif 000013
【図１２】
2015122127.tif 000014
【図１３】
2015122127.tif 000015
【国際調査報告】
2015122127.tif 000016
2015122127.tif 000017